(57)【要約】      （修正有）【課題】接続が容易で作業効率の良い接続プラグを提供する。【解決手段】接合一体化した第１ハウジング１０および第２ハウジング２０の対向面縁部で鍔状ホルダ３０を挟持するとともに、前記鍔状ホルダ３０に並設した複数の端子孔にピン端子４０，４０の棒状端子部４３，４３を挿入し、外方に突出させた構成としてある。【選択図】図１
2011146306.tif 000002
【特許請求の範囲】
【請求項１】
接合一体化した第１ハウジングおよび第２ハウジングの対向面縁部で鍔状ホルダを挟持するとともに、前記鍔状ホルダに並設した複数の端子孔にピン端子の棒状端子部を挿入し、外方に突出させたことを特徴とする接続プラグ。
【請求項２】
鍔状ホルダの両側から延在した折り曲げ可能な連結部を介して第１ハウジングおよび第２ハウジングを一体成形したことを特徴とする請求項１に記載の接続プラグ。
【請求項３】
端子孔を、鍔状ホルダから外方に突設した支持用突部に設けたことを特徴とする請求項１に記載の接続プラグ。
【請求項４】
支持用突部の側面に誤挿入防止用突起を突設したことを特徴とする請求項１ないし３のいずれか１項に記載の接続プラグ。
【請求項５】
支持用突部の軸心から同一のハウジング側に偏心した位置に端子孔を設けたことを特徴とする請求項１ないし３のいずれか１項に記載の接続プラグ。
【請求項６】
請求項１ないし５のいずれか１項に記載の一組の接続プラグのピン端子を、床パネルの裏面両端部に形成した嵌合用凹所に収納した中継用コネクタを介し、相互に電気接続したことを特徴とする床暖房の接続構造。
【発明の詳細な説明】
【技術分野】
【０００１】
本発明は接続プラグ、特に、床暖房等の電気接続に使用される接続プラグに関する。
【背景技術】
【０００２】
従来、床暖房等の電気接続としては、例えば、特許文献１の図５に示すように、中継用コネクタであるケース１内に電線５を１本ずつ挿入し、他の電線５に電気接続する電線接続用コネクターがある（特許文献１参照）。
【先行技術文献】
【特許文献】
【０００３】
【特許文献１】特開平９−５５２３９号公報
【発明の概要】
【発明が解決しようとする課題】
【０００４】
しかしながら、前述の電線接続用コネクターの接続方式では、２本の電線５，５の裸電線５ａ，５ａを前記ケース１内に１本ずつ挿入し、前記ケース１内に組み込んだ導体金属製スプリング板４に電気接続する必要があり、作業効率が悪いという問題点があった。
本発明は、前述の電線接続用コネクターに鑑み、接続が容易で作業効率の良い接続プラグを提供することを課題とする。
【課題を解決するための手段】
【０００５】
本発明に係る接続プラグは、前述の課題を解決するため、接合一体化した第１ハウジングおよび第２ハウジングの対向面縁部で鍔状ホルダを挟持するとともに、前記鍔状ホルダに並設した複数の端子孔にピン端子の棒状端子部を挿入し、外方に突出させた構成としてある。
【発明の効果】
【０００６】
本発明によれば、複数の並設したピン端子を介し、１回の接続作業で複数本の電源線等を簡単に電気接続できるので、作業効率が良くなる。
【０００７】
本発明の実施形態としては、鍔状ホルダの両側から延在した折り曲げ可能な連結部を介して第１ハウジングおよび第２ハウジングを一体成形した構成としてもよい。
本実施形態によれば、部品点数が実質的に減少し、組立工数が減少することにより、作業効率がより一層向上する。
【０００８】
端子孔を、鍔状ホルダから外方に突設した支持用突部に設けた構成としてもよい。
本実施形態によれば、支持用突部にピン端子の棒状端子部が支持されることにより、支持強度が向上する。
【０００９】
支持用突部の側面に誤挿入防止用突起を突設してもよく、また、支持用突部の軸心から同一のハウジング側に偏心した位置に端子孔を設けた構成としてもよい。
本実施形態によれば、誤挿入を防止でき、作業効率がより一層向上する。
【００１０】
本発明に係る床暖房の接続構造は、前述の課題を解決すべく、前述の一組の接続プラグのピン端子を、床パネルの裏面両端部に形成した嵌合用凹所に収納した中継用コネクタを介し、相互に電気接続した構成としてある。
本発明によれば、１回の接続作業で複数本の電線を簡単に電気接続できるので、作業効率、特に、施工現場における作業効率が向上し、接続不良を防止できるという効果がある。
【図面の簡単な説明】
【００１１】
【図１】図１Ａおよび図１Ｂは本発明に係る接続プラグの第１実施形態を示す斜視図である。
【図２】図２Ａおよび図２Ｂは図１で示した接続プラグの要部斜視図、図２Ｃおよび図２Ｄはピン端子の斜視図である。
【図３】図３Ａは第１ハウジング単体の平面図、図３Ｂは前記第１ハウジングにピン端子を組み込んだ状態を示す平面図である。
【図４】図４Ａおよび図４Ｂは図１で示した接続プラグの横断面図および縦断面図である。
【図５】図１で示した第１，第２ハウジングおよび鍔部の分解斜視図である。
【図６】図１で示した第１，第２ハウジングおよび鍔部の異なる角度から視た分解斜視図である。
【図７】図７Ａは床暖房接続構造を説明するための床面を示す平面図、図７Ｂは床パネルを接続する前の配線を示す斜視図である。
【図８】図８Ａおよび図８Ｂは、床パネルを縦接続および横接続する場合の配線構造を説明するための斜視図である。
【図９】図８で図示した接続プラグを中継用コネクタに接続した状態を示す横断面図である。
【図１０】図１０Ａおよび図１０Ｂは本発明に係る接続プラグの第２実施形態を示す斜視図である。
【図１１】図１１Ａおよび図１１Ｂは接続プラグに取り付けたピン端子に、リード線を接続する工程を示す組立説明図である。
【図１２】図１２Ａおよび図１２Ｂは図１１Ｂに続く組立説明図である。
【発明を実施するための形態】
【００１２】
本発明に係る接続プラグの実施形態を図１ないし図１２の添付図面に従って説明する。
本実施形態に係る接続プラグ５０の第１実施形態は、図１ないし図６に図示するように、同一形状を有する第１，第２ハウジング１０，２０と、前記第１，第２ハウジング１０，２０の一方側の開口縁部で挟持される鍔状ホルダ３０と、電源線５１に直接接続される一対のピン端子４０と、から構成されている。
【００１３】
第１，第２ハウジング１０，２０は、図５および図６に示すように、同一形状を有する樹脂成形品である。このため、第１ハウジング１０について説明し、第２ハウジング２０の同一部分については第１ハウジング１０の番号に準じた番号を附して説明を省略する。
第１ハウジング１０は、その上面中央部に嵌合用突条１１および段部１２を形成してある。さらに、第１ハウジング１０は、その上面の片側縁部に形成した側壁１３の外側面に一対の係合用受け部１４，１４（図６）を形成してあるとともに、その残る片側縁部に前記係合用受け部１４に係合可能な係合用爪部１５を形成してある。また、第１ハウジング１０は、その開口側縁部に嵌合用溝１６を形成してあるとともに、その上面中央部に前記嵌合用溝１６と平行な抜け止め用突起１７を突設してある（図３）。
【００１４】
鍔状ホルダ３０は、図５に示すように、その外向面に一対の支持用突部３１，３２を並設してあるとともに、前記支持用突部３１，３２の軸心上に端子孔３３，３４をそれぞれ設けてある。また、前記支持用突部３２の内向面には誤挿入を防止するための位置決め用突起３５を突設してある。さらに、鍔状ホルダ３０は、その内向面の中央部に位置規制用突部３６を突設してある。
【００１５】
ピン端子４０は、図２に示すように、両側縁部を曲げ起こして形成した補強用リブ４１，４１の間に抜け止め用爪部４２を切り出してある一方、その一端部に棒状端子部４３を形成するとともに、その他端部にカシメ部４４を同一軸心上に形成してある。そして、前記カシメ部４４に電源線５１の芯線５２をカシメ固定して電気接続する。
【００１６】
前記ピン端子４０の棒状端子部４３を前記鍔状ホルダ３０の端子孔３３，３４に背後からそれぞれ挿通して組み付けることにより、一対の棒状端子部４３，４３が平行、かつ、所定のピッチで突出する。特に、鍔状ホルダ３０の支持用突部３１，３２が外方に長く突出しているので、棒状端子部４３，４３を高い位置決め精度で組み付けることができるとともに、支持強度が高いという利点がある。
【００１７】
次に、前述の構成部品からなる接続プラグの組立方法について説明する。
まず、ピン端子４０のカシメ部４４に電源線５１の芯線５２をカシメて固定する。そして、鍔状ホルダ３０の端子孔３３，３４に前記ピン端子４０の棒状端子部４３をそれぞれ圧入して組み付ける。さらに、第１ハウジング１０の嵌合用溝１６に鍔状ホルダ３０を嵌合することにより、前記嵌合用突条１１の両側に前記ピン端子４０，４０をそれぞれ配置する。これにより、ピン端子４０の抜け止め用爪部４２が第１ベース１０の抜け止め用突起１７に係止する。ついで、前記第１ハウジング１０に第２ハウジング２０を組み付け、係合用爪部１４，２４を係合用受け部２５，１５にそれぞれ係合して一体化することにより、組立が完了する。このとき、鍔状ホルダ３０の位置規制用突部３６が第１，第２ハウジング１０，２０の嵌合用突条１１，２１に挟持されるので、ガタツキなく、かつ、正確に支持される。
【００１８】
次に、図７ないし図９に示すように、前述の接続プラグ５０を、中継用コネクタ６０（図８）を介し、相互に電気接続する床暖房接続構造について説明する。
【００１９】
床暖房に使用される発熱用床パネル８０は、図７Ａに図示するように、その外周部に形成された雄実および雌実を介して相互に突き合わされて暖房床面を形成する。特に、前記発熱用床パネル８０は、図７Ｂに図示するように、その裏面の両端部に３つの連通溝８２，８３，８４を備えた配線用凹所８１をそれぞれ形成するとともに、その裏面全面に裏打ちシート９０を裏打ちしてある。前記裏打ちシート９０には前記配線用凹所８１に連通する略Ｌ字形状の切り欠き溝９１を設けてある。特に、前記切り欠き溝９０は、その一端部に落とし込み用開口部９２を形成してあるとともに、その中間部に電源線５１のはみ出しを防止するための迫り出し部９３を設けてある。
【００２０】
そして、図８に図示するように、前記床パネル８０の配線用凹所８１から引き出した電源線５１，５１を接続プラグ５０を介して中継用コネクタ６０に接続するとともに、同様に引き出したアース線７１を接続プラグ７０を介して前記中継用コネクタ６０に接続する。特に、図９に図示するように、前記中継用コネクタ６０に組み込んだ断面略コ字形の導電体６０ａに一対の接触用バネ６１，６１が組み付けられている。そして、前記接触用バネ６１が棒状端子部４３に圧接して電気接続するとともに、前記接触用バネ６１から延在した係止部６２が棒状端子部４３に係止して抜け止めする。
【００２１】
ついで、電源線５１，５１およびアース線７１を接続した中継用コネクタ６０を、裏打ちシート９０の落とし込み用開口部９２から配線用凹所８１内に落とし込んだ後、前記配線用凹所８１の底面に沿ってスライドさせ、切り欠き溝９１の迫り出し部９３の下方を通過させることにより、接続作業が完了する。
【００２２】
そして、床パネル８０，８０の木口に設けた雄実，雌実を介して相互に突き合わせることにより（図８Ａ）、または、側面に設けた雄実，雌実を介して相互に嵌合することにより（図８Ｂ）、床パネル８０を敷設しつつ、電気接続する。
【００２３】
本実施形態によれば、中継用コネクタ６０が切り欠き溝９１内で裏打ちシート９０を介して抜け止めされているので、前記床パネル８０を反転させても前記中継用コネクタ６０，電源線５１等が脱落することがなく、現場における施工性が良いという利点がある。
【００２４】
第２実施形態に係る接続プラグ５０は、図１０ないし図１２に図示するように、第１ハウジング１０と第２ハウジング２０とを、鍔状ホルダ３０の両側から延在した折り曲げ可能な連結部３７，３７で連結一体化したものである。他は前述の第１実施形態と同様であるので、同一部分には同一番号を附して説明する。
【００２５】
すなわち、図１０及び図１１に図示するように、本実施形態に係る接続プラグ５０を構成する第１ハウジング１０は、その内面の中央部に嵌合用突状１１を突設してあるとともに、その両側縁部に沿って係合用受け部１４，１４をそれぞれ突設してある。また、前記嵌合用突条１１の両側には係合用凹部１９，１９を形成してあるとともに、前記係合用凹部１９の近傍には位置決め用凹部１９ａを設けてある。さらに、前記第１ハウジング１０は、その内面の隅部に位置決め孔１８をそれぞれ設けてある。
【００２６】
一方、第２ハウジング２０は、前記第１ハウジング１０に突き合わせ可能な平面形状を有しているとともに、その内面中央に前記第１ハウジングの嵌合用突状１１に嵌合する嵌合用段部２２を有している。また、前記第２ハウジング２０は、その両側縁部に前記係合用受け部１４，１４に係合可能な係合用爪部２５，２５を突設してあるとともに、前記嵌合用段部２２の両側に一対の係合用溝部２９をそれぞれ設けてある。さらに、前記係合用溝部２９の近傍には位置決め用凹部２９ａを設けてある。そして、前記第２ハウジング２０は、その内面の隅部に前記位置決め孔１８に嵌合する位置決め用突起２８をそれぞれ突設してある。
【００２７】
鍔状ホルダ３０は、連結部３７，３７を介して第１，第２ハウジング１０，２０に連結一体化されており、並設した一対の支持用突部３１，３２に端子孔３３，３４をそれぞれ設けてある。ただし、前記端子孔３３，３４は、誤挿入を防止するため、支持用突部３１，３２の軸心より第１ハウジング側に偏心した位置に設けられている。また、前記鍔状ホルダ３０は、その表裏面それぞれに一対の位置決め用突部３８，３８を設けてある。
なお、前記第１，第２ハウジング１０，２０および鍔状ホルダ３０には、通気孔１０ａ，２０ａ，３０ａがそれぞれ設けられている。
【００２８】
ピン端子４０は、その補強用リブ４１を第１実施形態よりも高く形成してある。他は前述の第１実施形態とほぼ同様であるので、同一部分に同一番号を附して説明を省略する。
【００２９】
次に、本実施形態に係る接続プラグ５０の組立方法について説明する。
図１１に図示するように、鍔状ホルダ３０の端子孔３３，３４にピン端子４０の棒状端子部４３をそれぞれ挿入した後、カシメ部４４に電源線５１の芯線５２を挿入してカシメ固定する。ついで、前記第１，第２ハウジング１０，２０を折り曲げることにより、鍔状ホルダ３０の位置決め用突部３８を第１，第２ハウジング１０，２０の位置決め用凹部１９ａ，２９ａにそれぞれ嵌合する。さらに、ピン端子４０の抜け止め用爪部４２を第１ハウジング１０の係合用凹部１９に係合するとともに、補強用リブ４１を第２ハウジング２０の係合用溝部２９にそれぞれ係合する。そして、第１ハウジング１０の係合用受け部１４に第２ハウジング２０の係合爪部２５を係合することにより、組立作業が完了する。
【００３０】
本実施形態によれば、ピン端子４０の抜け止め用爪部４２および補強用リブ４１が、第１，第２ハウジング１０，２０の係合用凹部１９および係合用溝部２９にそれぞれ支持される。このため、ピン端子４０がより一層脱落しにくくなり、接続信頼性が向上すると共に、接続線の解除が容易に行えるという利点がある。
【００３１】
本実施形態に係る接続プラグ５０の使用方法は、前述の第１実施形態とほぼ同様であるが、支持用突部３１，３２の端子孔３３，３４が第１ハウジング１０側に偏心しているので、前述の中継用コネクタ６０に接続する際の誤挿入を防止できるという利点がある。
【００３２】
なお、ピン端子４０の接続信頼性を向上させるべく、そのカシメ部４４の外周面に銅等の導電材料からなる筒状カバーを組み付けておいてもよい。
【産業上の利用可能性】
【００３３】
本発明に係る接続プラグは電源線に限らず、信号線に適用してもよく、また、床暖房だけでなく、他の電気接続にも適用してもよいことは勿論である。
【符号の説明】
【００３４】
１０，２０：第１，第２ハウジング
１１，２１：嵌合用突条
１２，２２：嵌合用段部
１９：係合用凹部
１９ａ：位置決め用凹部
１２，２２：嵌合用段部
２９：係合用溝部
３０：鍔状ホルダ
３１，３２：支持用突部
３３，３４：端子孔
３５：位置決め用突起
３６：位置規制用突部
３７：連結部
３８：位置決め用突部
４０：ピン端子
４１：補強用リブ
４２：抜け止め用爪部
４３：棒状端子部
４４：カシメ部
５０：接続プラグ
５１：電源線
５２：芯線
６０：中継用コネクタ
６０ａ：導電体
６１：接触用バネ
７０：接続プラグ
７１：アース線
８０：床パネル
８１：配線用凹所
８２，８３，８４：連通溝
９０：裏打ちシート
９１：切り欠き溝
９２：落とし込み用開口部
９３：迫り出し部
【図１】
2011146306.tif 000003
【図２】
2011146306.tif 000004
【図３】
2011146306.tif 000005
【図４】
2011146306.tif 000006
【図５】
2011146306.tif 000007
【図６】
2011146306.tif 000008
【図７】
2011146306.tif 000009
【図８】
2011146306.tif 000010
【図９】
2011146306.tif 000011
【図１０】
2011146306.tif 000012
【図１１】
2011146306.tif 000013
【図１２】
2011146306.tif 000014